(57)【特許請求の範囲】
【請求項１】
固定ダイプレートに着脱自在に取り付けられた射出プランジャに射出スリーブが進退可能に配置され、かつ、前記固定ダイプレートに移動ダイプレートが近接離隔可能に配置されたダイカストマシンにおいて前記固定ダイプレートに取り付けられた使用済み射出スリーブを未使用射出スリーブに交換する射出スリーブ交換装置であって、
前記射出プランジャと前記使用済み射出スリーブとを軸方向不離一体に連結する連結部材と、前記固定ダイプレートと前記移動ダイプレートとの間のスペースに金型を搬入搬出する金型搬送装置と、この金型搬送装置に設けられ前記使用済み射出スリーブ及び前記未使用射出スリーブを保持する射出スリーブ保持装置とを備え、
前記射出スリーブ保持装置は、前記使用済み射出スリーブを受ける第１受け部材と、前記未使用射出スリーブを受ける第２受け部材と、これらの第１受け部材及び第２受け部材を載置するとともに前記固定ダイプレートに取り付けられた使用済み射出スリーブの軸方向と交差する方向に前記第１受け部材及び前記第２受け部材をスライドさせるスライド機構と、前記未使用射出スリーブを前記固定ダイプレートに形成された射出スリーブ取付用凹部に向けて押圧する押圧機構とを備えたことを特徴とするダイカストマシンの射出スリーブ交換装置。
【請求項２】
請求項１に記載したダイカストマシンの射出スリーブ交換装置において、前記連結部材は、前記射出プランジャに着脱自在に設けられ前記使用済み射出スリーブに係合する割リングであることを特徴とするダイカストマシンの射出スリーブ交換装置。
【発明の詳細な説明】
【０００１】
【発明の属する技術分野】
本発明は固定ダイプレートに取り付けられた使用済み射出スリーブを未使用射出スリーブに交換するダイカストマシンの射出スリーブ交換装置に関するものである。
【０００２】
【背景技術】
一般的に、ダイカストマシンは、固定金型を取り付けた固定ダイプレートに対して可動金型を取り付けた移動ダイプレートを近接離隔可能に配置し、これらのダイプレートを近接させた状態で両金型の間に形成されたキャビティに射出装置から溶湯を射出してダイカスト製品を製造する構造である。
射出装置は、固定金型のキャビティに向けて溶湯を射出する射出プランジャ装置と、この射出プランジャ装置を駆動する射出シリンダ装置とを備えて構成され、射出プランジャ装置は、固定ダイプレートのダイカストマシン中心に形成された取付用凹部に着脱自在に取り付けられた射出スリーブと、この射出スリーブ内に軸方向に沿って往復自在に設けられた射出プランジャとを備えて構成されている。
【０００３】
射出プランジャ装置の射出スリーブは、内周面が磨耗する等により定期的に又は必要に応じて新しいものに交換する必要がある。
そのため、従来では、使用済み射出スリーブと平行になるように固定ダイプレートに埋設した流体圧シリンダと、この流体圧シリンダのピストンロッドに一端が継ぎロッドを介して取り付けられ使用済み射出スリーブの端面に他端が取り付けられた押圧板とを備え、流体圧シリンダの前進駆動に伴って使用済み射出スリーブを固定ダイプレートの取付用凹部から取り出す射出スリーブ交換装置がある（実開平6-77962号）。
【０００４】
【発明が解決しようとする課題】
実開平6-77962号で示される従来例では、射出スリーブの交換を手作業で行っていた場合に比べて交換時間の短縮並びに交換作業の安全性を確保できるものの、次の問題点がある。
まず、射出スリーブを取り出すために専用の流体圧シリンダ並びにこの流体圧シリンダを駆動するための独立可般型流体圧装置が必要とされる。
さらに、射出スリーブの軸方向寸法が流体圧シリンダのシリンダストロークより長い場合には、継ぎロッドを流体圧シリンダと射出スリーブとの間に介装するが、射出スリーブの軸方向寸法と流体圧シリンダのシリンダストロークとの差が大きい場合には、複数本の継ぎロッドをつなぎ合わせなければならず、その作業が煩雑である。
【０００５】
また、流体圧シリンダは固定ダイプレートに埋設されているため、固定ダイプレートの強度が低下する虞れがあり、そのため固定ダイプレートの強度を維持するための補強構造を採用しなければならない。
さらに、使用済み射出スリーブは流体圧シリンダにより固定ダイプレートから抜き出された後、クレーン等の搬送装置で固定ダイプレートと移動ダイプレートとの間のスペースから移動させなければならず、その作業が煩雑である。
【０００６】
本発明の目的は、射出スリーブを取り出すための専用の装置が不要とされ、射出スリーブの交換作業を容易に行えるとともにダイプレートを改造することがないダイカストマシンの射出スリーブ交換装置を提供することにある。
【０００７】
【課題を解決するための手段】
そのため、本発明は、射出プランジャと使用済み射出スリーブとを軸方向不離一体に連結部材で連結し、固定ダイプレートと移動ダイプレートとの間のスペースに金型搬送装置を利用して射出スリーブ保持装置を搬入搬出させて前記目的を達成しようとするものである。
【０００８】
具体的には、本発明のダイカストマシンの射出スリーブ交換装置は、固定ダイプレートに着脱自在に取り付けられた射出プランジャに射出スリーブが進退可能に配置され、かつ、前記固定ダイプレートに移動ダイプレートが近接離隔可能に配置されたダイカストマシンにおいて前記固定ダイプレートに取り付けられた使用済み射出スリーブを未使用射出スリーブに交換する射出スリーブ交換装置であって、前記射出プランジャと前記使用済み射出スリーブとを軸方向不離一体に連結する連結部材と、前記固定ダイプレートと前記移動ダイプレートとの間のスペースに金型を搬入搬出する金型搬送装置と、この金型搬送装置に設けられ前記使用済み射出スリーブ及び前記未使用射出スリーブを保持する射出スリーブ保持装置とを備え、前記射出スリーブ保持装置は、前記使用済み射出スリーブを受ける第１受け部材と、前記未使用射出スリーブを受ける第２受け部材と、これらの第１受け部材及び第２受け部材を載置するとともに前記固定ダイプレートに取り付けられた使用済み射出スリーブの軸方向と交差する方向に前記第１受け部材及び前記第２受け部材をスライドさせるスライド機構と、前記未使用射出スリーブを前記固定ダイプレートに形成された射出スリーブ取付用凹部に向けて押圧する押圧機構とを備えたことを特徴とする。
【０００９】
この構成の本発明では、固定ダイプレート及び移動ダイプレートに取り付けられた金型を新しい金型に交換する際に使用される金型搬送装置に未使用射出プランジャが予め取り付けられた射出スリーブ保持装置を取り付けておき、この射出スリーブ保持装置を金型搬送装置によって固定ダイプレートと移動ダイプレートとの間のスペースに搬入する。
さらに、固定ダイプレートに取り付けられた射出プランジャと使用済み射出スリーブとを連結部材で軸方向不離一体に連結する。
【００１０】
この状態で、射出プランジャを前進させると、射出プランジャに連結された射出スリーブは射出プランジャとともに前進して固定ダイプレートから取り出される。射出スリーブが取り出されたら、射出プランジャを後退させる。
使用済み射出スリーブは固定ダイプレートから取り出された後、射出スリーブ保持装置に保持される。射出スリーブが取り出された固定ダイプレートには射出スリーブ取付用凹部が露出することになる。
その後、未使用射出スリーブを使用済み射出スリーブが取り出された射出スリーブ取付用凹部に挿入する。
使用済み射出スリーブは射出スリーブ保持装置に保持された状態で金型搬送装置用によって固定ダイプレートと移動ダイプレートとの間のスペースから搬出される。
すなわち、第２受け部材に未使用射出スリーブを保持した状態で射出スリーブ保持装置を金型搬送装置によって固定ダイプレートと移動ダイプレートとの間のスペースに搬入する。
この状態で使用済み射出スリーブの正面に第１受け部材を位置させ、射出プランジャを前進駆動する。これにより、使用済み射出スリーブは射出プランジャとともに前進して固定ダイプレートから取り出され、その後、第１受け部材で保持される。
その後、スライド機構を作動して使用済み射出スリーブを保持した第１受け部材を射出スリーブ取付用凹部の正面から離れるように移動させるとともに第２受け部材を移動させて未使用射出スリーブを射出スリーブ取付用凹部の正面に位置させる。
さらに、押圧機構を作動して未使用射出スリーブを射出スリーブ取付用凹部に向けて押圧する。これにより、未使用射出スリーブが固定ダイプレートに取り付けられる。
未使用射出スリーブが固定ダイプレートに取り付けられたなら、使用済み射出スリーブは第１受け部材で保持された状態で金型搬送装置によって固定ダイプレートと移動ダイプレートとの間のスペースから搬出される。
【００１１】
従って、射出スリーブを固定ダイプレートから取り出す際に射出プランジャの駆動力を利用するから、流体圧シリンダ等の大掛かりな専用部品が不要とされる。そのため、固定ダイプレートに流体圧シリンダを埋設する等の改造が不要とされ、固定ダイプレートの強度が低下することがない。
さらに、未使用射出スリーブ及び使用済み射出スリーブを固定ダイプレートと移動ダイプレートとの間のスペースに搬入搬出する際に、クレーン等の特別な搬送装置を用いることがないから、射出スリーブの交換作業が容易となる。
また、未使用射出スリーブと使用済み射出スリーブとの移動がスムースに行えて射出スリーブの交換作業をより容易に行うことができる。
【００１５】
また、前記連結部材は、前記射出プランジャに着脱自在に設けられ前記使用済み射出スリーブに係合する割リングから構成してもよい。
この構成では、射出プランジャに連結部材を簡単にかつ確実に装着することができる。そのため、この点からも、射出スリーブの交換作業を容易に行うことができる。
【００１６】
【発明の実施の形態】
以下、本発明の一実施形態を図面に基づいて説明する。
図１から図３には本実施形態にかかる射出スリーブ交換装置２０がダイカストマシン１に設置された状態が示されており、図１は、その側面図であり、図２は、図１中II-II線に沿った矢視断面図、図３は、その平面図である。
これらの図において、ダイカストマシン１は、図示しないフレームに固定された固定ダイプレート２と、この固定ダイプレート２の正面に突設された４本のタイバー３を介して固定ダイプレート２に近接離隔可能に配置された移動ダイプレート４と、この移動ダイプレート４を固定ダイプレート２に向けて型締めする図示しない型締め装置と、固定ダイプレート２及び移動ダイプレート４にそれぞれ設けられた図示しない金型と、この金型に形成されたキャビティに溶湯を射出する射出装置５と、固定ダイプレート２と移動ダイプレート４との間のスペースに金型を搬入搬出する金型搬送装置６とを備えて構成されている。
【００１７】
射出装置５は、固定ダイプレート２に取り付けられるとともに金型のキャビティに向けて溶湯を射出する射出プランジャ装置７と、この射出プランジャ装置７を駆動する射出シリンダ装置（図示せず）とを備え、射出プランジャ装置７は、固定ダイプレート２に着脱自在に取り付けられた射出スリーブ８と、この射出スリーブ８内に配置され射出シリンダ装置によって軸方向に往復動自在とされた射出プランジャ９とを備えて構成されている。
射出スリーブ８は、固定ダイプレート２のダイカストマシン中心に埋設され軸方向が移動ダイプレート４の移動方向（図中Ｐ方向）と一致したブッシュ１０に挿入され、このブッシュ１０は固定ダイプレート２に固定されるとともに、その内周部は射出スリーブ８の取付用凹部１０Ａとされる。
【００１８】
射出スリーブ交換装置２０は、射出プランジャ９と固定ダイプレート２に取り付けられた使用済み射出スリーブ８とを軸方向不離一体に連結する連結部材２１と、金型搬送装置６と、この金型搬送装置６に設けられ射出スリーブ８を保持する射出スリーブ保持装置２２とを備えて構成されている。
金型搬送装置６は、固定ダイプレート２及び移動ダイプレート４のそれぞれに設けられた金型を交換する際に使用されるものであり、未使用金型及び使用済み金型を載置する図示しない台車と、この台車を平面内において移動ダイプレート４の移動方向とは直交する方向（図中Ｑ方向）に往復動させるトラバース１１とから構成されている。
このトラバース１１は台車の下面を支持するとともに移動ダイプレート４を所定方向に案内する複数のローラ１１Ａを有する構造である。
【００１９】
射出プランジャ９及び連結部材２１の詳細な構造が図４及び図５に示されている。図４は、射出プランジャ９の断面図である。
図４において、射出スリーブ８にはブッシュ１０との間で回り止めを行う回り止め部材１２が着脱自在に設けられている。
射出プランジャ９は、プランジャロッド１３と、このプランジャロッド１３の先端に設けられたプランジャチップ１４と、このプランジャチップ１４とプランジャロッド１３との間に介装されたチップジョイント１５とを備え、射出スリーブ８の軸方向（Ｐ方向）に沿って進退自在に配置されている。
このチップジョイント１５の中間部には周方向に沿って凹み１５Ａが形成されている。
【００２０】
連結部材２１は、図５に拡大して示される通り、射出プランジャ９のチップジョイント１５に着脱自在に設けられた割リングであり、その内周部がチップジョイント１５の凹み１５Ａに嵌合されるとともに、その端面２１Ａが射出スリーブ８の端面８Ａに当接可能な係合面とされる。
つまり、射出プランジャ９が前進することにより、チップジョイント１５に設けられた連結部材２１の端面２１Ａが射出スリーブ８の端面８Ａに係合し、射出スリーブ８が押し出されることになる。
【００２１】
射出スリーブ保持装置２２の詳細な構造が図６から図１１に示されている。
図６は、射出スリーブ保持装置２２の側面図であり、図７は、その正面図であり、図８は、その平面図であり、図９は、図６の要部拡大図である。
これらの図において、射出スリーブ保持装置２２は、トラバース１１の上にＱ方向に往復動可能に配置されたベース部材２３と、このベース部材２３にＰ方向に往復動自在に設けられたシフト機構２４と、このシフト機構２４にＱ方向に往復動自在に設けられたスライド機構２５と、このスライド機構２５にそれぞれ設けられた第１受け部材２６及び第２受け部材２７と、第１受け部材２６を昇降する第１上下バランサ用シリンダ装置２８と、第２受け部材２７を昇降する第２上下バランサ用シリンダ装置２９と、未使用射出スリーブ８を射出スリーブ取付用凹部１０Ａに向けて押圧する押圧機構３０と、この押圧機構３０が作動する際にかかる反力により装置が変位することを阻止する突っ張り部材３１とを備えて構成されている。
【００２２】
ベース部材２３は、トラバース１１のローラ１１Ａに両側下面が支持される平面矩形状に形成されている。
シフト機構２４は、ベース部材２３の上面にそれぞれＰ方向に延びて設けられた２本のレール３２に往復動自在に支持されたプレート部材３３と、このプレート部材３３を往復動させる第１水平シリンダ装置３４とから構成されている。
スライド機構２５は、プレート部材３３の上面にそれぞれＱ方向に延びて設けられた２本のレール３５に往復動自在に支持されたプレート部材３６と、このプレート部材３６を往復動させる第２水平シリンダ装置３７とを備え、この第２シリンダ装置３７が前進することにより第１受け部材２６を固定ダイプレート２の取付用凹部１０Ａに対向させ、第２シリンダ装置３７が後退することにより第２受け部材２７を固定ダイプレート２の取付用凹部１０Ａに対向させる構成である。
【００２３】
第１受け部材２６は、使用済み射出スリーブ８を受けるもので、スリーブ下面を軸方向に沿って支持する受け部２６Ａと、この受け部２６Ａを昇降可能に支持するガイド部２６Ｂとから構成されている。
第２受け部材２７は、未使用射出スリーブ８を受けるもので、スリーブ下面を軸方向に沿って支持する受け部２７Ａと、この受け部２７Ａを昇降可能に支持するガイド部２７Ｂとから構成されている。
第１上下バランサ用シリンダ装置２８は、使用済み射出スリーブ８の重量バランスをとるものであり、スライド機構２５のプレート部材３６と第１受け部材２６の受け部２６Ａとの間に設けられている。
第２上下バランサ用シリンダ装置２９は、未使用射出スリーブの重量バランスをとるものであり、スライド機構２５のプレート部材３６と第２受け部材２７の受け部２７Ａとの間に設けられている。
【００２４】
押圧機構３０は、プレート部材３６の両端部にそれぞれ立設したブラケット３８と、これらのブラケット３８の上端部の間に架設されプレート部材３６と平行に配置された連結ロッド３９と、対向するブラケット３８の上端部にそれぞれ取り付けられた取付板４０と、これらの取付板４０にＰ方向に延びて架設されたガイドロッド４１と、このガイドロッド４１と平行に配置され両端部が取付板４０に軸支されたボールねじ部材４２と、これらのボールねじ部材４２及びガイドロッド４１に設けられボールねじ部材４２の正逆方向の回転に伴ってガイドロッド４１に沿って進退動する押圧板４３と、ボールねじ部材４２の端部に連結されたハンドル４４とを備えて構成されている。
ガイドロッド４１及びボールねじ部材４２は、図１０に示される通り、上下に配置されている。
押圧板４３は、第２受け部材２７に下面が支持された未使用射出スリーブ８の端面８Ａを押圧するに充分な大きさの円筒部４３Ａを有する。
【００２５】
突っ張り部材３１は、プレート部材３６に立設されたブラケット４５と、このブラケット４５に一端部が支持されＰ方向に延びて配置された突っ張り棒４６とからなる。
この突っ張り棒４６は、想像線に示される通り、その他端部が移動ダイプレート４に当接可能となるように伸縮自在な中子４６Ａを備え、この中子４６Ａは、その先端が移動ダイプレート４と当接する位置で固定される。
【００２６】
射出スリーブ保持装置２２を構成するシリンダ装置２８，２９，３４，３７はエアーシリンダであり、これらのシリンダの駆動回路が図１１に示されている。
図１１において、シフト機構２４を構成する第１水平シリンダ装置３４は、メータイン側とメータアウト側とがそれぞれ可変絞り弁付き逆止弁４７が接続され、これらの可変絞り弁付き逆止弁４７は、４ポート３位置切換弁４８と接続されている。４ポート３位置切換弁４８は、通常、メータイン及びメータアウトの双方に空気を送らない中立の位置にあり、メータイン側に空気を供給する位置又はメータアウト側に空気を供給する位置に手動で切り換える構成である。
【００２７】
スライド機構２５を構成する第２水平シリンダ装置３７は、第１水平シリンダ装置３４と同様の駆動回路を有する。つまり、第２水平シリンダ装置３７は、メータイン側とメータアウト側とがそれぞれ可変絞り弁付き逆止弁４７が接続され、これらの可変絞り弁付き逆止弁４７は、４ポート３位置切換弁４８と接続されている。
第１上下バランサ用シリンダ装置２８及び第２上下バランサ用シリンダ装置２９は、それぞれリリーフ弁４９と接続されている。
これらのリリーフ弁４９と４ポート３位置切換弁４８とはそれぞれメイン管路５０と接続され、このメイン管路５０はカプラ５１を介してダイカストマシン本体に設けられたエアー源５２に接続されている。なお、図中符号５３は、消音器である。
【００２８】
この構成の射出スリーブ交換装置２０で使用済みの射出スリーブ８と未使用射出スリーブ８とを交換する方法について説明する。
まず、第２受け部材２７に未使用射出スリーブ８を保持した状態で射出スリーブ保持装置２２を金型搬送装置６のトラバース１１の上に配置し、このトラバース１１によって射出スリーブ保持装置２２を固定ダイプレート２と移動ダイプレート４との間のスペースに搬入する。この際、固定ダイプレート２に取り付けられた状態の使用済み射出スリーブ８の正面に第１受け部材２６が位置するようにシフト機構２４及びスライド機構２５を作動させる。
【００２９】
次に、固定ダイプレート２に取り付けられた射出プランジャ９と交換対象である使用済み射出スリーブ８とを連結部材２１で軸方向不離一体に連結し、さらに、回り止め部材１２を使用済み射出スリーブ８から取り外して使用済み射出スリーブ８が固定ダイプレート２に固定されたブッシュ１０から取り出し可能な状態とする。
この状態で、射出プランジャ装置７を作動させ、射出プランジャ９を前進させる。
すると、射出プランジャ９に連結部材２１で連結された使用済み射出スリーブ８は射出プランジャ９とともに前進して固定ダイプレート２のブッシュ１０から取り出される。射出スリーブ８が取り出されたら、射出プランジャ９を後退させ、さらに、この射出プランジャ９を交換する。
【００３０】
使用済み射出スリーブ８は固定ダイプレート２から取り出された後、第１受け部材２６に保持される。使用済み射出スリーブ８が取り出された後は、固定ダイプレート２には射出スリーブ取付用凹部１０Ａが露出することになる。
この取付用凹部１０Ａに第２受け部材２７に保持された未使用射出スリーブ８を挿入する。
そのため、スライド機構２５を作動して使用済み射出スリーブ８を保持した第１受け部材２６を取付用凹部１０Ａの正面から離れるように移動させるとともに第２受け部材２７を移動させて未使用射出スリーブ８を取付用凹部１０Ａの正面に位置させる。
【００３１】
その後、突っ張り部材３１をセットした状態で、押圧機構３０を作動する。つまり、ハンドル４４を回転することにより、押圧板４２は未使用射出スリーブ８の端面を押圧しながらガイドロッド４１に沿って前進する。
すると、未使用射出スリーブ８は取付用凹部１０Ａに挿入される。未使用射出スリーブ８が取付用凹部１０Ａに挿入される際の抵抗力が射出スリーブ保持装置２２への反力として作用するが、突っ張り部材３１があるので、射出スリーブ保持装置２２が動くことがなく、スムースに未使用射出スリーブ８の挿入作業が行われる。なお、本実施形態では、スムースに未使用射出スリーブ８の挿入作業が行われる場合には、手で射出スリーブ８を取付用凹部１０Ａに挿入するものでもよい。
【００３２】
押圧板４２が充分に前進した状態では、未使用射出スリーブ８は固定ダイプレート２に装着された状態となる。
その後、ハンドル４４を逆方向に回転することにより、押圧板４２を後退させ、突っ張り部材３１を外す。さらに、シフト機構２４を操作して第１受け部材２６及び第２受け部材２７を固定ダイプレート２から離れる方向に移動し、スライド機構２５を操作してこれらの受け部材２６，２７を最初の位置に戻す。
さらにその後、使用済み射出スリーブ８を射出スリーブ保持装置２２に保持した状態でトラバース１１によって固定ダイプレート２と移動ダイプレート４との間のスペースから搬出する。
【００３３】
従って、本実施形態では、固定ダイプレート２に着脱自在に取り付けられた射出プランジャ９に射出スリーブ８が進退可能に配置され、かつ、固定ダイプレート２に移動ダイプレート４が近接離隔可能に配置されたダイカストマシンにおいて、固定ダイプレート２に取り付けられた使用済み射出スリーブ８を未使用射出スリーブ８に交換するため、射出プランジャ９と使用済み射出スリーブ８とを連結部材２１で軸方向不離一体に連結したから、射出スリーブ８を固定ダイプレート２から取り出す際に射出プランジャ９の進退駆動力を利用できるため、流体圧シリンダ等の大掛かりな専用部品が不要とされる。
そのため、固定ダイプレート２に流体圧シリンダを埋設する等の改造が不要され、固定ダイプレート２の強度が低下することがない。
【００３４】
しかも、固定ダイプレート２と移動ダイプレート４との間のスペースに金型を搬入搬出する金型搬送装置６に使用済み射出スリーブ８及び未使用射出スリーブ８を保持する射出スリーブ保持装置２２を設けたので、未使用射出スリーブ８や使用済み射出スリーブ８を固定ダイプレート２と移動ダイプレート４との間のスペースに搬入搬出する際に、クレーン等の特別な搬送装置を用いることなく、射出スリーブの交換作業が容易となる。
【００３５】
また、本実施形態では、射出スリーブ保持装置２２は、使用済み射出スリーブ８を受ける第１受け部材２６と、未使用射出スリーブ８を受ける第２受け部材２７と、これらの第１受け部材２６及び第２受け部材２７を載置するとともに固定ダイプレート２に取り付けられた使用済み射出スリーブ８の軸方向と直交する方向に第１受け部材２６及び第２受け部材２７をスライドさせるスライド機構２５と、未使用射出スリーブ８を固定ダイプレート２に形成された射出スリーブ取付用凹部１０Ａに向けて押圧する押圧機構３０とを備えて構成したから、未使用射出スリーブ８と使用済み射出スリーブ８との移動がスムースに行えて射出スリーブ８の交換作業がより容易に行うことができる。
【００３６】
さらに、連結部材２１は、射出プランジャ９に着脱自在に設けられ使用済み射出スリーブ８に係合する割リングから構成したから、射出プランジャ９に連結部材２１を簡単にかつ確実に装着することができるため、射出スリーブ８の交換作業を容易に行うことができる。
また、第１受け部材２６及び第２受け部材２７を使用済み射出スリーブ８の軸方向に往復動自在としたシフト機構２４を射出スリーブ保持装置２２に備えて構成したから、射出スリーブ８を固定ダイプレート２から離れた位置に待避させることができるので、射出スリーブ保持装置２２を搬入搬出操作する際に、射出スリーブ８が固定ダイプレート２と干渉することを防止することができる。
【００３７】
さらに、押圧機構３０は、射出スリーブ８の端面を押圧する押圧板４３と、この押圧板４３にそれぞれ設けられ固定ダイプレート２の使用済み射出スリーブ８の軸方向に延びて配置されたガイドロッド４１及びボールねじ部材４２と、ボールねじ部材４２の端部に連結されたハンドル４４とを備えて構成されたから、射出スリーブ８を取付用凹部１０Ａへ挿入する力をハンドル４４を手で操作することで簡単に調整することができるから、射出スリーブ８が固定ダイプレート２に衝突して破損等することを防止できる。
【００３８】
なお、本発明は前述した実施形態に限定されるものではなく、以下に示すような変形等も本発明に含まれるものである。
即ち、前記実施形態では、金型搬送装置６をトラバース１１から構成したが、本発明では、ダイカストマシン１に既存の金型搬送装置であれば、その構造は限定されるものではなく、例えば、金型受け台であってもよい。
また、押圧機構３０は、ハンドル４４による手操作に代えてモータ、その他の手段で押圧板４３を移動させる構成でもよい。
さらに、連結部材２１を割リングから構成したが、本発明では、射出プランジャ９に着脱自在に取り付けられる１本又は複数本のピンから連結部材２１を構成してもよい。
【００３９】
【発明の効果】
以上に述べたように、本発明によれば、射出プランジャと使用済み射出スリーブとを軸方向不離一体に連結する連結部材と、固定ダイプレートと移動ダイプレートとの間のスペースに金型を搬入搬出する金型搬送装置と、この金型搬送装置に設けられ使用済み射出スリーブ及び未使用射出スリーブを保持する射出スリーブ保持装置とを備えて射出スリーブ交換装置を構成したから、射出スリーブを取り出すための専用の装置が不要とされ、射出スリーブの交換作業を容易に行えるとともにダイプレートを改造する必要がない。
【図面の簡単な説明】
【図１】本発明の一実施形態にかかる射出スリーブ交換装置がダイカストマシンに設置された状態を示す側面図である。
【図２】図１中II-II線に沿った矢視断面図である。
【図３】前記ダイカストマシンの平面図である。
【図４】射出プランジャの断面図である。
【図５】連結部材を拡大して示す斜視図である。
【図６】射出スリーブ保持装置の側面図である。
【図７】射出スリーブ保持装置の正面図である。
【図８】射出スリーブ保持装置の平面図である。
【図９】図６の要部拡大図である。
【図１０】図８中X-X線に沿った矢視断面図である。
【図１１】射出スリーブ保持装置を構成するシリンダ装置の駆動回路を示す概略構成図である。
【符号の説明】
１      ダイカストマシン
２      固定ダイプレート
４      移動ダイプレート
６      金型搬送装置
８      射出スリーブ
９      射出プランジャ
１０Ａ  射出スリーブ取付用凹部
１１    トラバース
２０    射出スリーブ交換装置
２１    連結部材
２２    射出スリーブ保持装置
２５    スライド機構
２６    第１受け部材
２７    第２受け部材
３０    押圧機構
【図１】
0003730000.tif 000002
【図２】
0003730000.tif 000003
【図３】
0003730000.tif 000004
【図４】
0003730000.tif 000005
【図５】
0003730000.tif 000006
【図６】
0003730000.tif 000007
【図７】
0003730000.tif 000008
【図８】
0003730000.tif 000009
【図９】
0003730000.tif 000010
【図１０】
0003730000.tif 000011
【図１１】
0003730000.tif 000012